(57)【要約】【課題】遠心ファンを内蔵した空気清浄機において、吹き出される空気の流速の分布の偏りをなくして、空気量の減少をなくし騒音の発生を減少させる。【解決手段】空気清浄機のケーシングＡ内に、遠心ファン２５の羽根車２５ａから送り出された空気の流れを第１の方向に案内するスクロールＢと、このスクロールから吐出された空気の流れを第１の方向から第２の方向に変える案内面１１ｄと、この案内面に案内された空気を吹き出し口２１に導く吐出通路Ｃを形成する。吐出通路は、案内面によって案内された空気を導入するとともに、空気導入側において吹き出し口より小さい開口部Ｄを有し、この開口部は第１の方向と反対側の偏った位置に形成されている。案内面は、吹き出し口の略中央部分において空気の流速が最も速くなるように形成するのがよい。【選択図】    図３
2004163040.tif 000002
【特許請求の範囲】
【請求項１】
遠心ファンが収容されたケーシング内に、前記遠心ファンの羽根車から送り出された空気の流れを第１の方向に案内するスクロールと、このスクロールから吐出された空気の流れを前記第１の方向から第２の方向に変える案内面と、この案内面に案内された空気を吹き出し口に導く吐出通路を備えてなる空気清浄機において、
前記吐出通路は、前記案内面によって案内された空気を導入するとともに、空気導入側において前記吹き出し口より小さい開口部を有し、この開口部は前記第１の方向と反対側の偏った位置に形成されたことを特徴とする空気清浄機。
【請求項２】
請求項１に記載の空気清浄機において、前記案内面は、前記吹き出し口の略中央部分において空気の流速が最も速くなるように形成されることを特徴とする空気清浄機。
【請求項３】
請求項１または請求項２に記載の空気清浄機において、前記吐出通路の一部は、前記案内面に連結されて前記第１の方向に延長され、前記吹き出し口に対向して該吹き出し口と平行に配設された棚板によって形成されることを特徴とする空気清浄機。
【請求項４】
請求項１〜請求項３の何れか１項に記載の空気清浄機において、前記吐出通路内に、前記開口部の前記第１の方向と同じ側となる一側縁から、これと同じ側となる前記吐出通路の出口側の一側縁に向かって延びて、前記吐出通路の横断面積を次第に増大させる案内部材を設けたことを特徴とする空気清浄機。
【請求項５】
請求項１〜請求項４の何れか１項に記載の空気清浄機において、前記吐出通路の出口側に、前記第２の方向と平行に配置された多数のセル通路を有するハニカム構造のフィルタを設けたことを特徴とする空気清浄機。
【発明の詳細な説明】
【０００１】
【発明の属する技術分野】
本発明は空気清浄機、例えば室内の空気を清浄化するために使用する遠心ファンを内蔵した小形の空気清浄機に関する。
【０００２】
【従来の技術】
この種の空気清浄機としては、遠心ファンが収容されたケーシ内に、遠心ファンの羽根車から送り出された空気の流れを第１の方向に案内するスクロールを形成し、このスクロールに連なる左右１対の空気通路の先端部を羽根車の回転軸線方向と平行に折り曲げ、その先端に設ける吹出口を遠心ファンへの吸入口の両側に並べて配置し、吸入空気流の方向と平行に空気を吹き出すようにしたものがある（例えば、特許文献１参照）。
【０００３】
【特許文献１】
特開２００１−１０５８４８公報（図１、図２、図４、図５、図７）。
【０００４】
【発明が解決しようとする課題】
しかしながら、この特許文献１の空気清浄機は、吹き出し口から吹き出す空気の流速の分布が偏り、このため吹き出される空気量が減少しまた騒音が発生するという問題がある。この問題を図６および図７に示す空気清浄機により説明する。この空気清浄機は、ケーシングＡ内に、遠心ファン２５の羽根車２５ａの外周から送り出された空気を案内するスクロールＢを形成し、このスクロールＢの末端部を、羽根車２５ａの回転軸線と平行に配置された吐出通路Ｃの入り口側となる端部に連結し、吐出通路Ｃの出口側となる端部には吹き出し口２１を設けたものである。この空気清浄機は、特許文献１のものと同様、吐出通路Ｃおよび吹き出し口２１は遠心ファン２５の両側に設けられている。
【０００５】
ケーシングＡは、ケーシング本体１と、その上側に重ねた中間部材１５および正面カバー２０よりなるもので、ケーシング本体１は上側が開いた長方形の箱状であり、四周の側板の上下方向略中間部には段部１ｂが形成されている。ケーシング本体１の底板１ａから段部１ｂの高さまで立ち上がる起立壁２は、図６に示すように、羽根車２５ａの外周に最も接近した２つのタング部２ｂから始まって羽根車２５ａの回転方向に沿って羽根車２５ａの外周からの距離が次第に増大し各先端がケーシング本体１の左右の側板に連結される１対の弧状部２ａと、各タング部２ｂから左右の側板と平行に延びてケーシング本体１の前後の側板に連結される延長部２ｃよりなり、この起立壁２と、ケーシング本体１の各側板の隅角の一部と、起立壁２の上側を覆う中間部材１５の底面の棚板１６によりスクロールＢは形成されている。中間部材１５には、その側板の隅角部と棚板１６から立ち上がるＬ字形の起立板１８との間に、羽根車２５ａの回転軸線と平行に延びる長方形断面形状の吐出通路Ｃが形成され、この吐出通路Ｃの入り口側は通路断面の全面においてスクロールＢの末端部の側面に連通されている。遠心ファン２５が作動されれば、羽根車２５ａの外周から送り出された空気は、スクロールＢにより案内され、その末端部において案内面２ｄにより向きが変えられて吐出通路Ｃを通り、正面カバー２０に形成した吹き出し口２１から室内に吹き出される。
【０００６】
この図６および図７に示す空気清浄機では、吐出通路Ｃは、通路断面の全面においてスクロールＢの末端部に連通されているので、スクロールＢ内を流れていた空気はスクロールＢの末端部に形成した案内面２ｄにより吐出通路Ｃの方向に向きが変えられて吐出通路Ｃ内に流入するものの、吐出通路Ｃ内ではスクロールＢの末端部内における空気流の慣性によりこの空気流の向きと同じ側となる吐出通路Ｃの片側に偏るので、吹き出し口２１から吹き出される空気の流速の分布は、図７の符号Ｗに示すように吐出通路Ｃの片側（図７において右側）の流速が大きく、反対側の流速が小さくなる。このように流速の分布が偏るので、吹き出し口２１から吹き出される空気量が全体として減少する。また吹き出し口２１から吹き出される空気の流速が小さい側では、外部の空気が局部的に吹き出し口２１の内側に吸い込まれることがあり、そのような場合には吹き出される空気と衝突して渦を生じるので騒音が発生し、また圧力損失を生じて空気量はさらに減少する。このような問題は、特許文献１や図６および図７に示すもののように、吹き出し口を遠心ファンの両側に設けたものに限らず、遠心ファンの片側に吹き出し口を設けたものにおいても存在する。
【０００７】
本発明は吹き出し口から吹き出される空気の流速の分布の偏りをなくして、空気量の減少および騒音の発生をなくすことを目的とする。なお、図６および図７に示す空気清浄機は、出願人における商品開発の一段階のものであり、それ自体は公知ではない。
【０００８】
【課題を解決するための手段】
このために、本発明による空気清浄機は、遠心ファンが収容されたケーシング内に、遠心ファンの羽根車から送り出された空気の流れを第１の方向に案内するスクロールと、このスクロールから吐出された空気の流れを第１の方向から第２の方向に変える案内面と、この案内面に案内された空気を吹き出し口に導く吐出通路を備えてなる空気清浄機において、吐出通路は、案内面によって案内された空気を導入するとともに、空気導入側において吹き出し口より小さい開口部を有し、この開口部は第１の方向と反対側の偏った位置に形成されたことを特徴とするものである。
【０００９】
前項に記載の空気清浄機の案内面は、吹き出し口の略中央部分において空気の流速が最も速くなるように形成されることが好ましい。
【００１０】
前２項に記載の空気清浄機の吐出通路の一部は、案内面に連結されて第１の方向に延長され、吹き出し口に対向して該吹き出し口と平行に配設された棚板によって形成されることが好ましい。
【００１１】
前各項に記載の空気清浄機は、吐出通路内に、第１の方向と同じ側となる開口部の一側縁から、これと同じ側となる吐出通路の出口側の一側縁に向かって延びて、吐出通路の横断面積を次第に増大させる案内部材を設けることが好ましい。
【００１２】
前各項に記載の空気清浄機は、吐出通路の出口側に、第２の方向と平行に配置された多数のセル通路を有するハニカム構造のフィルタを設けることが好ましい。
【００１３】
【発明の作用および効果】
遠心ファンから送り出された空気はスクロール内では第１の方向に流れ、案内面により第２の方向に向きが変えられて吐出通路内に流入するが、吐出通路内の空気の流れは、スクロール内における第１の方向の流れの慣性により第１の方向と同じ側に偏るので、吐出通路内の空気の流速の分布も第１の方向と同じ側の流速が大きく、第１の方向と逆向きになる側の流速が小さくなろうとする。しかしながら本発明の空気清浄機によれば、案内面により向きが変えられた空気を吐出通路内に導入する開口部は第１の方向と反対側に偏った位置に形成されているので、スクロール側における吐出通路内の空気の流速の分布は、上記とは逆に、第１の方向と逆向きとなる側の流速が大きく、第１の方向と同じ側の流速が小さくなろうとする。従って吐出通路内の空気の流れはこのように互いに矛盾する２つの作用の影響を受けるが、この両影響は互いに相殺されるので、吐出通路により導かれて吹き出し口から吹き出される空気の流速の分布は吹き出し口の中心部に対し対称に近づく。従って吹き出し口から吹き出される空気量は全体として増大し、また外部の空気が局部的に吹き出し口の内側に吸い込まれることもなくなるので、そのような原因による騒音の発生および空気量の減少もなくなる。
【００１４】
請求項２の空気清浄機によれば、吹き出し口の略中央部分において空気の流速が最も速くなるので、吹き出し口から吹き出される空気の流速の分布は吹き出し口の中心部に対しほゞ対称となる。従って吹き出し口から吹き出される空気量は実質的に最大となる。
【００１５】
請求項３の空気清浄機によれば、吐出通路の一部は、案内面に連結されて第１の方向に延長され、吹き出し口に対向して該吹き出し口と平行に配設された棚板によって形成されているので、スクロールから吐出通路に空気を導入する開口部の位置は、特に何らの配慮をしなくても、第１の方向と反対側の偏ったものとなる。
【００１６】
請求項４の空気清浄機によれば、第１の方向と同じ側となる開口の一側縁からこれと同じ側となる吐出通路の出口側の一側縁に向かって延びる案内部材を吐出通路内に設け、これにより吐出通路の横断面積は吐出通路の入り口側となる端部から吐出通路の出口側向かって次第に増大されるので、吐出通路内に生じる渦が減少する。これにより騒音の発生はさらに減少し、また圧力損失を生じて空気量がさらに減少することもなくなる。
【００１７】
請求項５の空気清浄機によれば、吐出通路を通った空気は多数のセル通路を有するハニカム構造のフィルタを通ることにより整流されて吹き出し口から吹き出される。これにより吹き出し口から吹き出される空気流は第２の方向と平行な方向の指向性が向上して横に広がることが少なくなるので、清浄化されて吹き出し口から吹き出された空気の一部がケーシングに形成された空気吸入口からすぐに吸い込まれて、空気清浄の効率が低下することがなくなる。
【００１８】
【発明の実施の形態】
以下に、図１〜図３に示す実施の形態により、本発明による空気清浄機の説明をする。この空気清浄機のケーシングＡは、何れも合成樹脂成形品であるケーシング本体１０と中間部材１５と正面カバー２０からなるもので、これらによりスクロールＢと吐出通路Ｃと吸入通路Ｅが形成され、スクロールＢ内の中央には羽根車２５ａとモータ２５ｂよりなる遠心ファン２５が設けられている。この空気清浄機は、ケーシング本体１０の側壁１０ａの段部１０ｃより下側の部分が建物の壁３０の室内側に埋め込まれて取り付けられるようになっている。この実施の形態の空気清浄機は使用状態では、図１は水平方向から見たケーシング本体１０の正面図であり、図２は図１の矢印２−２に示すように下から上に向かって見たケーシングＡ全体の断面図であるが、以下の説明では便宜上、図２における上下を上下として説明する。
【００１９】
主として図１および図２に示すように、ケーシング本体１０は、上側が開いたやや横長の長方形の箱状で、側壁１０ａの上下方向略中間部には、ほゞ一定幅の段部１０ｃが形成されている。ケーシング本体１０の底板１０ｂから段部１０ｃの高さまで立ち上がる起立壁１１は、羽根車２５ａの外周に最も接近した２つのタング部１１ｂから始まって羽根車２５ａの回転方向に沿って進むにつれて羽根車２５ａの外周からの距離が次第に増大し各先端がケーシング本体１０の左右の側壁１０ａに連結される１対の弧状部１１ａと、各タング部１１ｂから前後の側壁１０ａと平行に延びてケーシング本体１０の左右の側壁１０ａに連結される延長部１１ｃよりなるものである。起立壁１１の延長部１１ｃは前後の側壁１０ａの段部１０ｃより下の部分よりも手前側に位置しており、延長部１１ｃと弧状部１１ａの一部と、各側壁１０ａの互いに斜めに向かい合う各隅角部の間には段部１０ｃと同じ高さの棚板１０ｄが形成されている。この起立壁１１と、ケーシング本体１０の左右の側壁１０ａの一部と、起立壁１１の上側を覆う中間部材１５の底面の棚板１６により、遠心ファン２５の羽根車２５ａから送り出される空気を案内するスクロールＢが形成される。
【００２０】
中間部材１５は図６および図７に示すものと実質的に同じで、全体として四角い棚板１６と、その四周から立ち上がる側板１５ａを有している。この中間部材１５は、図２および図３に示すように、側板１５ａ上縁の外向き張り出し部がケーシング本体１０の側壁１０ａの上縁部の内側に挿入され、棚板１６の下面の外周縁がケーシング本体１０の段部１０ｃの内縁上に当接支持されるようにねじ止めなどによりケーシング本体１０に取り付けられる。この取付状態では、中間部材１５の各側板１５ａは、ケーシング本体１０の側壁１０ａの段部１０ｃより下の部分の延長上に位置している。
【００２１】
中間部材１５には、起立壁１１の各延長部１１ｃにより区切られるスクロールＢの各末端部および各棚板１０ｄに対応する各隅角部に、両端が側板１５ａに連結されるＬ形の起立板１８がそれぞれ棚板１６から起立して形成され、この各起立板１８と側板１５ａの隅角部の間に羽根車２５ａの回転軸線と平行に延びる長方形断面形状で上下端が開放された１対の吐出通路Ｃが形成される。中間部材１５がケーシング本体１０に取り付けられた状態では、各吐出通路Ｃの入り口側となる下端は、前後の側壁１０ａ側となる一部がケーシング本体１０の棚板１０ｄにより閉じられ、残る部分により形成される開口部Ｄを介して、スクロールＢの末端部の羽根車２５ａの軸線と直交する側面に連通される。換言すれば、棚板１０ｄは案内面１１ｄの上縁部に連結されて、吹き出し口２１に対向するように第１の方向（後述）に延びるものであり、この棚板１０ｄにより吐出通路Ｃの一部は形成されている。
【００２２】
主として図３に示すように、遠心ファンの羽根車２５ａから送り出されてスクロールＢにより第１の方向に案内される空気の流れは、羽根車２５ａの回転軸線と平行な吐出通路Ｃに沿った第２の方向に変えられ、開口部Ｄを通って吐出通路Ｃから吹き出し口２１に導かれる。吐出通路Ｃの入り口側となる下端部におけるこの開口部Ｄの位置は、スクロールＢ（特にその末端部）内における空気の流れの方向である第１の方向とは反対側に偏っている。起立壁１１の延長部１１ｃとケーシング本体１０の底板１０ｂの間には、スクロールＢ内を第１の方向に流れる空気を、開口部Ｄから吐出通路Ｃ内に円滑に導入するために、円弧状の案内面１１ｄが形成されている。
【００２３】
各吐出通路Ｃの出口側となる上端部に形成した段部には、吐出通路Ｃを通る空気の脱臭および有害ガスの除去を行う脱臭フィルタ２７が設けられている。この脱臭フィルタ２７は例えば光触媒を用いたもので、触媒と活性炭とバインダを混入したものを、互いに平行に配置された小さい通路幅を有する多数のセル通路を形成するように押出成形してから所定の厚さに切断したハニカム構造のものである。脱臭フィルタ２７は、セル通路の向きが羽根車２５ａの回転軸線方向と平行となるように配置し、セル通路の通路幅は脱臭フィルタ２７の厚さよりもかなり小さくして、脱臭フィルタ２７を通る空気の向きが羽根車２５ａの回転軸線方向と平行に整流されるようにしている。
【００２４】
また主として図２に示すように、中間部材１５の棚板１６の中央部には、集塵フィルタ２６を支持する四角いフィルタ収納部１７が形成され、その底面の中央には環状の吸気開口１７ａが形成され、その中央には半径方向に延びる複数のリブを介して支持カバー１７ｂが支持されている。遠心ファン２５のモータ２５ｂはブラケット（図示省略）を介してこの支持カバー１６ｂに同心に取り付けられ、このモータ２５ｂのモータ軸の下端には、羽根車２５ａが取り付けられている。この遠心ファン２５が、吸気開口１７ａから吸い込んだ空気をスクロールＢに送り出す。
【００２５】
正面カバー２０は、図２および図３に示すように、ケーシング本体１０および中間部材１５の上側全体を覆うようにねじ止めなどにより取り付けられるもので、その両側の吐出通路Ｃと対応する位置には、多数のスリットよりなる長方形の吹き出し口２１が形成されている（図２は右側の吹き出し口２１のみを示す）。この正面カバー２０とフィルタ収納部１７に収納された集塵フィルタ２６の間には吸入通路Ｅが形成される。この吸入通路Ｅは、正面カバー２０の内面から突出して集塵フィルタ２６の上面に当接する仕切板２２により内気吸入通路Ｅ１と外気吸入通路Ｅ２に分割され、正面カバー２０には室内の空気を内気吸入通路Ｅ１に吸入する多数のスリットよりなる長方形の内気吸入口２３が形成されている。また外気吸入通路Ｅ２は、中間部材１５の棚板１６に形成された導入穴１６ａおよび筒体１４を介してケーシング本体１０の底板１０ｂに形成された外気吸入口１２に連通されている。導入穴１６ａ付近には、外気吸入通路Ｅ２から導入される外気の量を調節するための換気シャッタ（図示省略）が設けられている。
【００２６】
外気吸入通路Ｅ２に設けた換気シャッタを閉じた状態で遠心ファン２５が作動されれば、内気吸入口２３から吸入された室内の空気は、内気吸入通路Ｅ１から集塵フィルタ２６を通って、フィルタ収納部１７底面の吸気開口１７ａから遠心ファン２５内に吸入される。遠心ファン２５から送り出された空気はスクロールＢにより案内され、その末端部から開口部Ｄを通って吐出通路Ｃ内に入り、その出口側の脱臭フィルタ２７を通って、正面カバー２０に形成した吹き出し口２１から室内に吹き出される。この空気は集塵フィルタ２６を通る際に塵埃が除去され、脱臭フィルタ２７を通る際に脱臭および有害ガスの除去もされて清浄化される。外気吸入通路Ｅ２に設けた換気シャッタを開いた状態では、換気シャッタの開度に応じて、壁３０に形成した穴３０ａおよびケーシング本体１０の底板１０ｂに形成した外気吸入口１２を介して外気吸入通路Ｅ２に導入された外気が、内気吸入通路Ｅ１からの室内空気とともに遠心ファン２５に吸入され、吹き出し口２１から室内に吹き出される。
【００２７】
図６および図７に示すように、通路断面の全面において吐出通路ＣがスクロールＢの末端部に連通されている空気清浄機では、スクロールＢ内を第１の方向に流れていた空気は、スクロールＢの末端部において遠心ファン２５の回転軸線方向である吐出通路Ｃの方向（第２の方向）に向きが変換されて吐出通路Ｃ内に流入される。この空気の流れの向きの変換は、ケーシング本体１０の底板１０ｂと起立壁１１の延長部１１ｃの間に形成した円弧状の案内面１１ｄ（図３参照）により円滑に行われるようにしているが、吐出通路Ｃ内の空気流の流速の分布は、スクロールＢの末端部内における空気流の慣性により、図７の符号Ｗに示すように、スクロールＢの末端部内の空気流の向きと同じ側の流速が大きく、この空気流と逆向きとなる側の流速が小さくなろうとする。
【００２８】
しかしながら上述した実施の形態によれば、スクロールＢの末端部を吐出通路Ｃ内に連通する開口部Ｄの、吐出通路Ｃの入り口側となる端部における位置は、図３に示すように、スクロールＢの末端部内を流れる空気流の向きとは逆向きに偏っており、スクロールＢの末端部からの空気はこのように偏った位置に形成された開口部Ｄを通って吐出通路Ｃ内に流入するので、吐出通路Ｃの入り口側となる端部における空気の流速の分布はスクロールＢの空気流の方向である第１の方向と逆向きとなる側の流速が大きく、この第１の方向と同じ側の流速が小さくなろうとする。すなわち、吐出通路Ｃの空気の流速の分布は、スクロールＢの末端部内における空気流の慣性の影響を受けて第１の方向と同じ側の流速が大きく、この空気流と逆向きとなる側の流速が小さくなろうとすると同時に、スクロールＢの末端部を吐出通路Ｃに連通する開口部Ｄの位置の影響を受けて第１の方向と逆向きとなる側の流速が大きく、この第１の方向と同じ側の流速が小さくなろうとする。そして案内面１１ｄの位置と形状および開口部Ｄの位置と大きさを適当に選択して、吹き出し口２１の略中央部分において空気の流速が最も速くなるようにすることにより、この互いに矛盾する各影響がうまく相殺されて、吐出通路Ｃの出口側となる端部に設けた吹き出し口２１から吹き出される空気の流速の分布は吐出通路Ｃの中心部に対しほゞ対称となる。
【００２９】
これにより空気流と吐出通路Ｃの壁面の間および空気流内部の摩擦損失が、特許文献１や図６および図７に示すものに比して減少するので、吹き出し口２１から吹き出される空気量は全体として増大する。また、吹き出し口２１から吹き出される空気の流速が小さい部分において外部の空気が局部的に吹き出し口２１の内側に吸い込まれることもなくなり、このように吸い込まれた空気が吹き出される空気と衝突して渦を生じることもなくなるので、騒音が発生したり、圧力損失を生じて空気量が減少するようなこともなくなる。
【００３０】
また上述した実施の形態では、吐出通路Ｃの出口側となる端部に、羽根車２５ａの回転軸線方向と平行に配置された多数のセル通路を有するハニカム構造の脱臭フィルタ２７を設けており、このようにすれば吐出通路Ｃを通った空気は脱臭フィルタ２７により羽根車２５ａの回転軸線方向と平行となるように整流されて正面カバー２０の各吹き出し口２１から吹き出される。これにより吹き出し口から吹き出される空気流は羽根車２５ａの回転軸線方向と平行な方向の指向性が向上して横に広がることが少なくなるので、内気吸入口２３を各正面カバー２０の正面に各吹き出し口２１と並べて配置した場合でも、清浄化されて吹き出し口２１から吹き出された空気の一部が内気吸入口２３からすぐに吸い込まれて、空気清浄の効率が低下することはなくなる。
【００３１】
なお図６および図７に示す例では、起立壁２のタング部２ｂは底板１ａからほゞ垂直に立ち上がっており（図７参照）、回転する羽根車２５ａの各ベーンの先端縁は全長が一時にタング部２ｂの垂直な先端縁の近くを通過するので、この通過の瞬間にその付近の圧力が変動して騒音発生の原因となる。しかし上述した実施の形態では、起立壁１１のタング部１１ｂは円弧状の案内面１１ｄに沿って形成され（図３参照）、回転する羽根車２５ａの各ベーンの先端縁はタング部１１ｂの先端縁と角度を持って交差し、その交差位置が案内面１１ｄに沿って高さ方向に移動しながらタング部１１ｂの先端縁を通過するので、この通過の際に生じる圧力変動は時間的に分散されて大幅に減少し、これによる騒音の発生も減少する。
【００３２】
また上述した実施の形態では、起立壁１１の延長部１１ｃは、全長にわたりタング部１１ｂからケーシング本体１０の前後の側壁１０ａと平行に形成しているが、図１に示すように、タング部を二点鎖線１１ｂ′の位置まで延長し、延長部１１ｃはタング部１１ｂ′から一旦左右の側壁１０ａと平行に延びる部分と前後の側壁１０ａと平行に延びる部分の２部分よりなるＬ字としてもよい。このようにすれば羽根車２５ａの外周とタング部１１ｂ′の間の隙間が減少するので、遠心ファン２５の吐出側から吸入側への空気の漏れが減少し、遠心ファン２５の効率を高めることができる。なおこの場合は、タング部１１ｂ′の先端縁は図３の二点鎖線に示すように底板１０ｂから円弧状（または斜め）に立ち上がるようにすれば、前項で述べた騒音の発生の減少も達成される。
【００３３】
なお上述した実施の形態は、遠心ファン２５の両側にそれぞれ吐出通路Ｃおよび吹き出し口２１を設けた例につき説明したが、本発明はこれれに限らず、遠心ファン２５の片側に吐出通路Ｃおよび吹き出し口２１を設けるようにして実施することもできる。
【００３４】
上述した実施の形態では、スクロールＢの末端部から開口部Ｄを通って吐出通路Ｃ内に流入する空気流は、スクロールＢの末端部内における空気流の向きと同じ側となる開口部Ｄの一側縁Ｄ１から棚板１０ｄにかかる部分の上側（図３に符号Ｆで示す）となる吐出通路Ｃ内に渦を生じさせ、これにより騒音および圧力損失が発生するおそれがある。次にこのような問題を解決するための変形例を図４により説明する。この変形例では、ケーシング本体１０には、各棚板１０ｄの一部から立ち上がって各吐出通路Ｃ内に挿入される１対の突出部１０ｅが形成されている。各突出部１０ｅは、図１および図２の左右方向における横幅が、吐出通路Ｃ内にほゞ隙間なく挿入される大きさであり、スクロールＢの末端部側となるその一側には、開口部Ｄの一側縁Ｄ１からこれと同じ側となる吐出通路Ｃの出口側の一側縁に向かって延びる傾斜した案内部材１８ａが形成されている。この案内部材１８ａにより、吐出通路Ｃの横断面積は吐出通路Ｃの入り口側となる端部から脱臭フィルタ２７を設けた吐出通路Ｃの出口側に向かって次第に増大し、横断面積が急激に変化することはなくなるので、吐出通路Ｃ内に生じる渦が減少する。従ってこのような渦による騒音の発生は減少し、また圧力損失が生じて空気量が減少することもなくなる。
【００３５】
図５に示す別の変形例は、図４と同様な案内部材１８ａを中間部材１５と一体的に形成したものであり、これによっても図４の変形例と同じ作用効果が得られる。
【図面の簡単な説明】
【図１】本発明による空気清浄機の一実施形態の、主としてケーシング本体を示す正面図である。
【図２】図１に示す実施形態の組立状態における２−２線に沿った全体断面図である。
【図３】図１に示す実施形態の組立状態における３−３線に沿った全体断面図である。
【図４】図１に示す実施形態の変形例を示す図３に対応する部分断面図である。
【図５】図１に示す実施形態の図４とは異なる変形例を示す、図３に対応する部分断面図である。
【図６】本発明が解決しようとする問題点を説明するための、空気清浄機のケーシング本体を主として示す部分正面図である。
【図７】図６に示す空気清浄機の組立状態における７−７線に沿った全体断面図である。
【符号の説明】
１０ｄ…棚板、１１ｄ…案内面、１８ａ…案内部材、２１…吹き出し口、２５…遠心ファン、２５ａ羽根車、２７…フィルタ（脱臭フィルタ）、Ａ…ケーシング、Ｂ…スクロール、Ｃ…吐出通路、Ｄ…開口、Ｄ１…一側縁。
【図１】
2004163040.tif 000003
【図２】
2004163040.tif 000004
【図３】
2004163040.tif 000005
【図４】
2004163040.tif 000006
【図５】
2004163040.tif 000007
【図６】
2004163040.tif 000008
【図７】
2004163040.tif 000009